(57)【要約】      （修正有）【課題】太陽エネルギー光電駆動の知能型遮光板を提供する。【解決手段】太陽エネルギー光電駆動の知能型遮光板は、内部に収容空間１０を設置した筐体１と、バッテリ装置２及びバッテリ装置と相互に連結するモータ３と、を含み、モータの一端に伝動調節器４を連結し、伝動調節器は、伝動ロッド４０を連結し、伝動ロッド上に複数の遮光板５を連接する。さらに、遮光板５が筐体中に接合し、筐体上にモータと電気接続するセンサ６を設け、筐体の上部に隣接する箇所にバッテリ装置と相互に連接する太陽エネルギー光電板７を設ける。光エネルギーセンサにより太陽光照射強度を感知して発生する電気信号により、モータを駆動し、伝動調整器４を連動し、変位を発生させ、遮光板５の回転を連動し、太陽光の遮蔽の機能を達成する。【選択図】図１
0003163989.tif 000002
【実用新案登録請求の範囲】
【請求項１】
内部に収容空間を設置した筐体と、バッテリ装置及びバッテリ装置と相互に連結するモータと、を含み、モータの一端に伝動調節器を連結し、伝動調節器は、伝動ロッドを連結し、伝動ロッド上に複数の遮光板を連接し、且つ遮光板が筐体中に接合し、筐体上にモータと電気接続する1つ以上のセンサを設け、筐体の上部に隣接する箇所にバッテリ装置と相互に連接する太陽エネルギー光電板を設ける太陽エネルギー光電駆動の知能型遮光板。
【請求項２】
前記遮光板は、筐体中に直線方向に配置される請求項１に記載の太陽エネルギー光電駆動の知能型遮光板。
【請求項３】
前記遮光板は、筐体中に横向きに配置される請求項１に記載の太陽エネルギー光電駆動の知能型遮光板。
【請求項４】
前記センサが光エネルギーセンサである請求項１に記載の太陽エネルギー光電駆動の知能型遮光板。
【請求項５】
前記モータの一端に起動スイッチを接続する請求項１に記載の太陽エネルギー光電駆動の知能型遮光板。
【請求項６】
前記筐体の底部に隣接する箇所に吸気孔を設置し、且つ筐体の上部に隣接する箇所にヒートシンク孔を設置する請求項１に記載の太陽エネルギー光電駆動の知能型遮光板。
【考案の詳細な説明】
【技術分野】
【０００１】
本考案は、遮光板構造に関し、特に、センサにより太陽光の強度を感知し、遮光板の回転を駆動する太陽エネルギー光電駆動の知能型遮光板に関する。
【背景技術】
【０００２】
従来の遮光板構造は、現在何れも既に広く使用されているが、該遮光板構造は、依然として多くの改善が必要な不足の箇所を有し、例えば、従来の遮光板のオン及びオフは、何れも人力の手動で完成する必要があるが、太陽光が照射する角度は、随時変化するので、使用者は、一定時間が経過するごとに遮光板のオン又はオフの角度を調整する必要があり、使用上極めて不便である。
【０００３】
これに鑑みて、本考案の考案者は、長年関連分野の研究開発に従事した経験に基づき、前記の欠陥に対して深く検討し、前記要求に基づき積極的に解決の道を探求し、長い時間の努力研究及び多数回の試験を経て、本考案を完成している。
【先行技術文献】
【特許文献】
【０００４】
【特許文献１】特開２０１０−７９８９号公報
【考案の概要】
【考案が解決しようとする課題】
【０００５】
本考案の目的は、センサにより太陽光の強度を感知し遮光板の回転を駆動する太陽エネルギー光電駆動の知能型遮光板を提供することにある。
【課題を解決するための手段】
【０００６】
上記目的を達成する為、本考案が記載する太陽エネルギー光電駆動の知能型遮光板は、内部に収容空間を設置した筐体と、バッテリ装置及びバッテリ装置と相互に連結するモータと、を含み、モータの一端に起動スイッチを連結し、モータの他端に伝動調節器を連接し、伝動調節器は、伝動ロッドを連結し、伝動ロッド上に複数の遮光板を連接し、且つ遮光板が筐体中に接合する。また、筐体上にモータと電気接続する1つ以上のセンサを設け、センサは、光エネルギーセンサであることができ、筐体は、底部に隣接する箇所に吸気孔を設置でき、且つ筐体の上部に隣接する箇所にヒートシンク孔を設置し、筐体の上部に隣接する箇所にバッテリ装置と相互に連接する太陽エネルギー光電板を設ける。
【考案の効果】
【０００７】
従って、本考案は、太陽エネルギー光電板を利用し、太陽光の熱エネルギーを吸収し、熱エネルギーを電気エネルギーに変換し、バッテリ装置内に保存し、光エネルギーセンサにより太陽光照射強度を感知して発生する電気信号により、モータを駆動し、伝動調整器を駆動し、変位を発生させ、遮光板の回転を連動し、太陽光の遮蔽の機能を達成する。
【図面の簡単な説明】
【０００８】
【図１】本考案の第1実施例の立体説明図である。
【図２】本考案の第1実施例の立体分解説明図である。
【図３】本考案の第1実施例の実施説明図である。
【図４】本考案の第２実施例の立体説明図である。
【図５】本考案の第２実施例の立体分解説明図である。
【図６】本考案の第２実施例の実施説明図である。
【考案を実施するための形態】
【０００９】
本考案の目的、効果、特徴及び構造を分かり易くする為、実施例を上げ図面に併せ以下に説明する。
【００１０】
図１及び図２を同時に参照し、図１は、本考案の第1実施例の立体説明図であり、図２は、本考案の第１実施例の立体分解説明図である。
【００１１】
このことから分かるように、本考案が記載する太陽光電駆動の知能型遮光板は、内部に収容空間１０を設置した筐体１と、１つ以上のバッテリ装置２と、を含み、バッテリ装置２の一端にモータ３を連結し、モータ３の一端に起動スイッチ８を連結し、モータ３の他端に伝動調節器４を連接し、伝動調節器４は、伝動ロッド４０を連結し、伝動ロッド４０上に上下に間隔を置いて設置され、且つ横向き置かれた複数の遮光板５を連接し、且つ遮光板５が筐体１中に接合し、そのうち、筐体１上にモータ３と電気接続する1つ以上のセンサ６を設け、筐体１の上部に隣接する箇所にバッテリ装置２と相互に連接する太陽エネルギー光電板７を設ける。
【００１２】
また、筐体１の底部に隣接する箇所に１つ以上の吸気孔１１を設置し、筐体１の上部に隣接する箇所に1つ以上のヒートシンク孔１２を設置する。
【００１３】
本考案の目的は、太陽エネルギー光電板７を利用し、太陽光の熱エネルギーを吸収し、熱エネルギーを電気エネルギーに変換し、バッテリ装置２内に保存し、光エネルギーセンサ６により太陽光照射強度を感知し、遮光板５の回転を駆動し、太陽光を遮蔽するようにすることにある。
【００１４】
図３は、本考案の第1実施例の実施説明図である。
【００１５】
図から分かるように、本考案が記載する太陽エネルギー光電駆動の知能型遮光版は、太陽エネルギー光電板７を利用し、太陽が照射して得られる熱エネルギーを収集し、熱エネルギーを電気エネルギーに変換し、バッテリ装置６内に保存し、光エネルギーセンサ６により太陽光照射強度を感知して発生する電気信号により、モータ３を駆動し、伝動調整器４を連動し、回転を発生し、伝動ロッド４０の上下移動を連動し、伝動ロッド４０により上下間隔を置いて設置した複数の遮光版５を連動し、その設置する角度を変化させ、太陽光線の照射を遮蔽する。そのうち、本考案は、起動スイッチ８を利用し、モータ３を動作させるか否かを制御し、起動スイッチ８が起動する時、モータ３は、受け取った電気信号に基づき伝動調節器４の回転を静止又は連動する状態を呈する。起動スイッチ８が閉じる時、モータ３が動作しないので、使用者は、適時起動スイッチ８を切り換え、人員が該遮光板５の設置空間を離れる時、ついでに起動スイッチ８をオフとし、エネルギー源の浪費を回避することができる。
【００１６】
図４、図５を同時に参照し、図４は、本考案の第２実施例の立体説明図であり、図５は、本考案の第２実施例の立体分解説明図である。
【００１７】
図から分かるように、本考案が記載する太陽光電駆動の知能型遮光板は、内部に収容空間１０を設置した筐体１と、１つ以上のバッテリ装置２と、を含み、バッテリ装置２の一端にモータ３を連結し、モータ３の一端に起動スイッチ８を連結し、モータ３の他端に伝動調節器４を連接し、伝動調節器４は、伝動ロッド４０を連結し、伝動ロッド４０上に左右に間隔を置いて設置され、且つ直線方向に置かれた複数の遮光板５を連接し、且つ遮光板５が筐体１中に接合し、そのうち、筐体１上にモータ３と電気接続する1つ以上のセンサ６を設け、筐体１の上部に隣接する箇所にバッテリ装置２と相互に連接する太陽エネルギー光電板７を設ける。
【００１８】
また、筐体１の底部に隣接する箇所に１つ以上の吸気孔１１を設置し、筐体１の上部に隣接する箇所に1つ以上のヒートシンク孔１２を設置する。
【００１９】
本考案の目的は、太陽エネルギー光電板７を利用し、太陽光の熱エネルギーを吸収し、熱エネルギーを電気エネルギーに変換し、バッテリ装置２内に保存し、光エネルギーセンサ６により太陽光照射強度を感知し、遮光板５の回転を駆動し、太陽光を遮蔽するようにすることにある。
【００２０】
図６及び図５を組み合わせて参照し、図６は、本考案の第２実施例の実施説明図である。
【００２１】
図から分かるように、本考案が記載する太陽エネルギー光電駆動の知能型遮光版は、太陽エネルギー光電板７を利用し、太陽が照射して得られる熱エネルギーを収集し、熱エネルギーを電気エネルギーに変換し、バッテリ装置６内に保存し、光エネルギーセンサ６により太陽光照射強度を感知して発生する電気信号により、モータ３を駆動し、伝動調整器４を連動し、回転を発生し、伝動ロッド４０の水平移動を連動し、伝動ロッド４０により左右間隔を置いて設置した複数の遮光版５を連動し、その設置する角度を変化させ、太陽光線の照射を遮蔽する。
【００２２】
また、本考案は、筐体１上のヒートシンク孔１２を設置することにより、筐体１の収容空間１０内に設置したモータ３が動作時に発生する熱を室外に排出し、吸気孔１１を組み合わせ、筐体１内外の空気を循環対流させ、モータ３の温度が高くなりすぎることを回避し、本考案の使用寿命を効率的に向上することができる。
【００２３】
前記を総合し、本考案は、以下の利点を有する：
一、本考案が開示する太陽エネルギー光電駆動の知能型遮光板は、光エネルギーセンサの感知により、遮光板を太陽光線照射強度に従い、自動転させ、人力の操作を必要とせず、効率的な遮光の効果を達成し、使用利便性を向上する利点を有する。
二、本考案が開示する太陽エネルギー光電駆動の知能型遮光板は、太陽照射が発生する熱エネルギーを電気エネルギーに変えることができるので、遮光板の回転を駆動する電気エネルギーは、本考案が自給自足することができ、別途電気エネルギーを消耗する必要がなく、エネルギー源を節約でき、同時に環境保護の技術趨勢に適合することができる。
三、本考案の吸気孔及びヒートシンク孔は、室内外の空気循環に用い、且つモータ動作時に発生する熱気を排除し、モータ温度が高くなりすぎることを回避する。
四、本考案が開示する太陽エネルギー光電駆動の知能型遮光板は、室内への視線の透過を遮蔽する機能を有し、室内のプライバシーを向上することができる。
五、本考案が開示する太陽エネルギー光電駆動の知能型遮光板は、太陽の熱輻射を効率的に遮蔽することができる。
六、本考案は、起動スイッチの設置を利用し、モータを動作するか否かを制御し、人員が該本考案の設置空間を離れる時、ついでに起動スイッチをオフとし、エネルギー源の浪費を回避することができる。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１  筐体
１０  収容空間
１１  吸気孔
１２  ヒートシンク孔
２  バッテリ装置
３  モータ
４  伝動調節器
４０  伝動ロッド
５  遮光板
６  光エネルギーセンサ
７  太陽エネルギー光電板
８  起動スイッチ
【図１】
0003163989.tif 000003
【図２】
0003163989.tif 000004
【図３】
0003163989.tif 000005
【図４】
0003163989.tif 000006
【図５】
0003163989.tif 000007
【図６】
0003163989.tif 000008
【手続補正書】
【提出日】平成22年9月8日(2010.9.8)
【手続補正１】
【補正対象書類名】実用新案登録請求の範囲
【補正対象項目名】請求項１
【補正方法】変更
【補正の内容】
【請求項１】
内部に収容空間を設置した筐体、バッテリ装置、及び前記バッテリ装置と相互に連結するモータと、を含み、
前記モータの一端に伝動調節器を連結し、
前記伝動調節器は、伝動ロッドを連結し、
前記伝動ロッド上に複数の遮光板を連接し、
前記遮光板が前記筐体中に接合し、
前記筐体上に前記モータと電気接続する1つ以上のセンサを設け、
前記筐体の上部に隣接する箇所に前記バッテリ装置と相互に連接する太陽エネルギー光電板を設け、
前記センサにより太陽光照射強度を感知して発生する電気信号により、前記モータを駆動し、前記伝動調整器を連動し回転を発生させ、前記伝動ロッドの上下移動を連動し、前記伝動ロッドにより上下間隔を置いて設置した前記複数の遮光版を連動し、太陽光線の照射を遮蔽することを特徴とする、太陽エネルギー光電駆動の知能型遮光板。